(57)【要約】【課題】大きさが異なる２種類の便座蓋に皺を寄らせないように装着することができる便座蓋カバーを提供する。【解決手段】二次元方向への伸縮を可能とした編地１を蒸気により収縮させ、該編地１の縁部分にゴム紐等の伸縮部材２を設けるとともに、便座蓋の後端部を被覆する部分に取着環部３ｃ及びフック部３ａが連結板部３ｂにより連結された扁平板からなる２つのフック部材３，３を取着した。【選択図】        図１
2004344591.tif 000002
【特許請求の範囲】
【請求項１】
便座蓋の表面から裏面にかけて被覆する便座蓋カバーにおいて、伸縮を可能とした編地が収縮されており、該編地の縁部分に伸縮部材が設けられていることを特徴とする便座蓋カバー。
【請求項２】
便座蓋の表面から裏面にかけて被覆し、便座蓋の後端部を被覆する部分にフック部及び取着環部を有する２つのフック部材がゴム紐を介して取着されている便座蓋カバーにおいて、伸縮を可能とした編地が収縮されており、該編地の縁部分に伸縮部材が設けられており、前記フック部材は前記取着環部及び前記フック部が連結板部により連結された扁平板からなることを特徴とする便座蓋カバー。
【請求項３】
便座蓋の表面から裏面にかけて被覆する便座蓋カバーの製造方法において、伸縮を可能とした編地を作る工程と、編地を収縮させる工程と、編地を裁断する工程と、裁断された編地の縁に伸縮部材を取着する工程とを含むことを特徴とする便座蓋カバーの製造方法。
【発明の詳細な説明】
【０００１】
【発明の属する技術分野】
本発明は、洋式便器の便座蓋カバー及びこれの製造方法に関する。
【０００２】
【従来の技術】
洋式便器にはＯ型、Ｕ型などの便座と、該便座に対して揺動が可能な便座蓋とを備えており、便座には便座カバーが装着されており、便座蓋には便座蓋カバーが装着されている。
この便座蓋カバーは比較的太い糸が起毛状に植設された非伸縮性の織地の縁にゴム紐等の伸縮部材が取着されており、該伸縮部材を引き伸ばすことにより便座蓋に取着するように構成されている。また、非伸縮性の織地の縁部分を裏面側へ折り返し、この縁部分と中央側部分との間に便座蓋へ嵌め込むための嵌合溝を設けた便座蓋カバーも提案されている（例えば、特許文献１。）。
【０００３】
また、便座には温水洗浄便座と、非温水洗浄便座とがあり、温水洗浄便座は非温水洗浄便座に比べて大形であるため、温水洗浄便座用の便座蓋及び便座蓋カバーは非温水洗浄便座用に比べて大形となる。従って、温水洗浄便座用の便座蓋に対応した大きさの大形の便座蓋カバーと、非温水洗浄便座用の便座蓋に対応した大きさの小形の便座蓋カバーとが用いられている。
【０００４】
【特許文献１】
特開平９−２７６１８１号公報
【０００５】
【発明が解決しようとする課題】
特許文献１のように従来の便座蓋カバーは、大きさが異なる２種類を製造販売しているため、少量生産となり、しかも、陳列棚に色が異なるものを複数個陳列する場合、比較的広い陳列スペースが必要となり、また、売れ残った場合に２種類が在庫となり、改善策が要望されていた。
【０００６】
本発明は斯かる事情に鑑みてなされたものであり、伸縮を可能とした編地を収縮させ、該編地の縁部分に伸縮部材を設けた構成とすることにより、大きさが異なる２種類の便座蓋に皺を寄らせないように装着することができる便座蓋カバーを提供することを目的とする。
【０００７】
また、編地の縁部分に取着されるフック部材を取着環部及びフック部が連結板部により連結された扁平板からなる構成とすることにより、フック部材を便座蓋の後端部と便器との間の比較的狭い隙間から便座蓋の裏面側へ簡易に抜き出すことができ、便座蓋の裏面側でフック部材の係止操作を簡易に行うことができる便座蓋カバーを提供することを目的とする。
【０００８】
また、伸縮を可能とした編地を作る工程と、編地を収縮させる工程と、編地を裁断する工程と、裁断された編地の縁に伸縮部材を取着する工程とを含む製造方法とすることにより、伸縮が可能に収縮された便座蓋カバーを簡易に製造することができる便座蓋カバーの製造方法を提供することを目的とする。
【０００９】
【課題を解決するための手段】
第１発明に係る便座蓋カバーは、便座蓋の表面から裏面にかけて被覆する便座蓋カバーにおいて、伸縮を可能とした編地が収縮されており、該編地の縁部分に伸縮部材が設けられていることを特徴とする。
【００１０】
第１発明にあっては、伸縮を可能とした編地が収縮されており、この編地の縁部分に収縮部材が設けられているため、小形の便座蓋に対しては自然状態の編地を若干引き伸ばしつつ縁部分の伸縮部材を引き伸ばすことにより皺を寄らせないように装着することができ、また、大形の便座蓋に対しては自然状態の編地及び縁部分の伸縮部材を引き伸ばすことにより皺を寄らせないように装着することができる。
このように１種類の便座蓋カバーにより大きさが異なる２種類の便座蓋に装着することができるため、多量生産が可能となり、しかも、陳列棚に編地の色が異なるものを複数個陳列する場合、比較的狭いスペースで効率的に陳列することができ、また、売れ残った場合の在庫量を少なくすることができる。
【００１１】
第２発明に係る便座蓋カバーは、便座蓋の表面から裏面にかけて被覆し、便座蓋の後端部を被覆する部分にフック部及び取着環部を有する２つのフック部材がゴム紐を介して取着されている便座蓋カバーにおいて、伸縮を可能とした編地が収縮されており、該編地の縁部分に伸縮部材が設けられており、前記フック部材は前記取着環部及び前記フック部が連結板部により連結された扁平板からなることを特徴とする。
【００１２】
第２発明にあっては、取着環部及びフック部が連結板部により連結された扁平板からなるフック部材を備えるため、便座とともに便器に枢支される便座蓋の後端部と便器との間の隙間が狭い場合においても取着環部を摘んだ状態でフック部を前記隙間から便座蓋の裏面側へ挿入することができ、さらにこのフック部を便座蓋の裏面側で摘んでフック部材を便座蓋の裏面側へ抜き出すことができる。この結果、フック部材を前記隙間から便座蓋の裏面側へ挿入し、該フック部材を便座蓋の裏面側で係止する場合においてもフック部材の係止操作を簡易に行うことができる。
【００１３】
第３発明に係る便座蓋カバーの製造方法は、便座蓋の表面から裏面にかけて被覆する便座蓋カバーの製造方法において、伸縮を可能とした編地を作る工程と、編地を収縮させる工程と、編地を裁断する工程と、裁断された編地の縁に伸縮部材を取着する工程とを含むことを特徴とする。
【００１４】
第３発明にあっては、編機により伸縮が可能な編地を作ることができ、この編地を蒸気等の熱により収縮させることができ、この編地を便座蓋に対応した大きさに裁断し、縁にゴム紐等の伸縮部材を取着することにより製造することができ、これによって伸縮が可能に収縮された便座蓋カバーを簡易に製造することができる。
【００１５】
【発明の実施の形態】
以下本発明をその実施の形態を示す図面に基づいて具体的に説明する。
図１は本発明に係る便座蓋カバーの構成を示す裏面図、図２は便座蓋カバーの製造工程を示す工程図である。
【００１６】
便座蓋カバーＡは、便座蓋Ｂ（図３参照）の表面から裏面にかけて被覆するための編地１と、該編地１の縁部分に取着されたゴム紐等の伸縮部材２と、便座蓋Ｂの後端部を被覆する位置に取着された２つのフック部材３，３及び各フック部材３，３が引掛けられる被係止部４，４とを備えている。
【００１７】
編地１は高弾性の合成繊維であるスパンデックス等の芯糸とアクリル、綿、ウール等の表糸とをパイル編機、横編機等の編機で編むことにより編み方向及び編み方向と交差する方向への伸縮、換言すれば二次元方向への伸縮が可能な筒形、シート形に作られており、一面に毛糸のパイルを有する。図２ではパイル編機により筒形に作られている。
【００１８】
このように作られた編地１は例えば蒸気、プリント加工による熱、洗濯した後に乾燥する乾燥熱等により全体を熱処理して５０〜８０％の大きさに収縮されている。全体が収縮された編地１は自然状態から二次元方向へ若干引き伸ばした状態で小形となる非温水洗浄便座用便座蓋Ｂ１に装着することができる程度の大きさに裁断される。尚、５０％よりも小さい大きさに収縮させた場合、大形となる温水洗浄便座用便座蓋に装着するとき、編地の伸び量が多くなり、編地の負担が大きくなるので好ましくない。また、８０％よりも大きい大きさに収縮させた場合、小形となる温水洗浄便座用便座蓋に装着したとき、編地に皺が発生し易くなるので好ましくない。
【００１９】
裁断された編地１は略Ｕ形の湾曲縁部１ａと、該湾曲縁部１ａに連なり湾曲縁部１ａと交差する方向へ傾斜する２つの傾斜縁部１ｂ，１ｂと、各傾斜縁部１ｂ，１ｂに連なる平坦縁部１ｃとを有しており、湾曲縁部１ａ、傾斜縁部１ｂ，１ｂ、平坦縁部１ｃに伸縮部材２が取着されている。
【００２０】
フック部材３，３はフック部３ａ及び該フック部３ａに連結板部３ｂにより連結された取着環部３ｃとを有しており、１ｍｍ程度に薄い厚さの合成樹脂製の扁平板からなり、各取着環部３ｃがゴム紐５，５を介して各傾斜縁部１ｂ，１ｂの一端部に取着されている。被係止部４，４はループ状のゴム紐からなり、各傾斜縁部１ｂ，１ｂの他端部に取着されている。
【００２１】
以上のように構成された便座蓋カバーＡは図２に示す製造工程により製造される。
（ａ）  編機によって二次元方向への伸縮が可能な編地１を筒形又はシート形に作る。
（ｂ）  編地１を蒸気室に入れるか、又は編地１の全体に蒸気を吹付けて熱処理し、編地１を例えば５０〜８０％の大きさに収縮、好ましくは７０％程度の大きさに収縮させる。尚、収縮させる手段は蒸気である他、例えばプリント加工により編地１に柄を施すときの熱により収縮させてもよいし、また、編地１を洗濯し、この洗濯した編地１を乾燥機等で乾燥するときの熱により収縮させてもよい。
（ｃ）  収縮した編地１が筒形である場合、周方向位置の１箇所を切断してシート形とする。シート形の編地１を非温水洗浄便座用便座蓋に装着することができる程度の大きさに裁断する。
（ｄ）  裁断した編地１の縁部分に伸縮部材２を縫着する。この場合、伸縮部材２の収縮により編地１の縁部分は中央部側へ引き寄せられ、浅底の袋状に変形し、この変形した状態が自然状態となる（図１参照）。
（ｅ）  伸縮部材２を縫着した編地１の各傾斜縁部１ｂ，１ｂの一端部に、取着環部３ｃに挿入されたゴム紐５を縫着してフック部材３，３を取着し、さらに被係止部４，４となるゴム紐を縫着する。
【００２２】
図３は温水洗浄便座用便座蓋に装着した表面側の状態を示す斜視図、図４は温水洗浄便座用便座蓋に装着した裏面側の状態を示す斜視図、図５は非温水洗浄便座用便座蓋に装着した裏面側の状態を示す斜視図である。
以上のように製造された便座蓋カバーＡは、編地１の湾曲縁部１ａの近傍部分を便座蓋Ｂの前端部に引っ掛けた状態で編地１及び縁部分の伸縮部材２を引き伸ばし、編地１の傾斜縁部１ｂ，１ｂの近傍部分又は平坦縁部１ｃの近傍部分を便座蓋Ｂの後端部に引っ掛けることにより、編地１及び伸縮部材２の収縮力によって編地１が絞られ、この絞りによって編地１を便座蓋１の表面に沿って伸ばした状態で装着することができる。
【００２３】
このように便座蓋Ｂに装着する便座蓋カバーＡは二次元方向への伸縮が可能な編地１が収縮されているため、小形となる非温水洗浄便座用便座蓋Ｂ１に装着する場合、自然状態の編地を若干引き伸ばしつつ縁部分の伸縮部材２を引き伸ばすことにより装着することができ、また、大形となる温水洗浄便座用便座蓋Ｂ２に装着する場合、自然状態の編地１及び縁部分の伸縮部材２を引き伸ばすことにより装着することができる。しかも、予め収縮させた編地１を裁断して製造されているため、便座蓋Ｂに装着して使用することにより便座蓋カバーＡが汚れた場合、洗濯しても収縮し難いのであり、洗濯した後でも容易に装着することができる。
【００２４】
また、温水洗浄便座用便座蓋Ｂ２に装着する場合、編地１の傾斜縁部１ｂ，１ｂの近傍部分が温水洗浄便座用便座蓋Ｂ２の後端部に引っ掛けられるため（図４参照）、便座とともに便器に枢支される温水洗浄便座用便座蓋Ｂ２の後端部と便器との間の比較的狭い隙間から温水洗浄便座用便座蓋Ｂ２の裏面側へフック部材３，３を引き出すことになるが、このフック部材３，３は扁平板により形成されているため、取着環部３ｃを摘んだ状態でフック部３ａを前記隙間から温水洗浄便座用便座蓋Ｂ２の裏面側へ挿入することができ、さらにこのフック部３ａを摘んでフック部材３，３を温水洗浄便座用便座蓋Ｂ２の裏面側へ容易に抜き出すことができる。そして、このフック部材３，３のフック部３ａ，３ａを被係止部４，４に引掛けることにより、便座蓋カバーＡが温水洗浄便座用便座蓋Ｂ２から外れるのを防ぐことができる。
【００２５】
また、非温水洗浄便座用便座蓋Ｂ１に装着する場合、編地１の平坦縁部１ｃの近傍部分が非温水洗浄便座用便座蓋Ｂ１の後端部に引っ掛けられるため（図５参照）、非温水洗浄便座用便座蓋Ｂ１の後端部と便器との間の前記隙間にフック部材３，３を挿入することなく、非温水洗浄便座用便座蓋Ｂ１の両側からフック部材３，３を非温水洗浄便座用便座蓋Ｂ１の裏面側へ位置させることができる。そして、フック部材３，３のフック部３ａ，３ａ同士を引掛けることにより、便座蓋カバーＡが非温水洗浄便座用便座蓋Ｂ１から外れるのを防ぐことができる。
尚、以上説明した実施の形態では編地１の縁部分の全周囲に収縮部材２を設けたが、その他、この収縮部材２は前記縁部分の一部に設けた構成としてもよい。
【００２６】
【発明の効果】
以上詳述したように第１発明によれば、伸縮を可能とした編地が収縮されており、さらに編地の縁部分に伸縮部材が設けられているため、１種類の便座蓋カバーにより大きさが異なる２種類の便座蓋に皺を寄らせないように装着することができる。従って、多量生産が可能となり、しかも、陳列棚に編地の色が異なるものを複数個陳列する場合、比較的狭いスペースで効率的に陳列することができ、また、売れ残った場合の在庫量を少なくすることができる。しかも、予め収縮されているため、便座蓋に装着して使用することにより便座蓋カバーが汚れた場合、洗濯しても収縮し難いのであり、洗濯した後でも容易に装着することができる。
【００２７】
第２発明によれば、取着環部及びフック部が連結板部により連結された扁平板からなるフック部材を備えるため、このフック部材を便座蓋の後端部と便器との間の比較的狭い隙間から便座蓋の裏面側へ簡易に抜き出すことができ、便座蓋の裏面側でフック部材の係止操作を簡易に行うことができる。
【００２８】
第３発明によれば、編地を蒸気等の熱により収縮させるため、簡易に収縮させることができ、収縮された便座蓋カバーを簡易に製造することができる。
【図面の簡単な説明】
【図１】本発明に係る便座蓋カバーの構成を示す裏面図である。
【図２】本発明に係る便座蓋カバーの製造工程を示す工程図である。
【図３】本発明に係る便座蓋カバーを温水洗浄便座用便座蓋に装着した表面側の状態を示す斜視図である。
【図４】本発明に係る便座蓋カバーを温水洗浄便座用便座蓋に装着した裏面側の状態を示す斜視図である。
【図５】本発明に係る便座蓋カバーを非温水洗浄便座用便座蓋に装着した裏面側の状態を示す斜視図である。
【符号の説明】
Ａ    便座蓋カバー
１    編地
２    伸縮部材
３    フック部材
３ａ  フック部
３ｂ  連結板部
３ｃ  取着環部
５    ゴム紐
【図１】
2004344591.tif 000003
【図２】
2004344591.tif 000004
【図３】
2004344591.tif 000005
【図４】
2004344591.tif 000006
【図５】
2004344591.tif 000007